(57)【要約】【課題】遊技機前面に位置する排出口から繰り返して落下するコインや玉による損傷と衝撃を緩和させる目的で、受皿上にマットを敷く場合に、受皿内に設置された状態から容易に取り外すことを可能にする。【解決手段】遊技機４前面の下部に位置する受皿５内部の上面に載置されるマット本体２と、マット本体２の上面に一体化する保護板３から受皿用マット１を構成し、マット本体２の幅を受皿５上面の幅より小さく、保護板３の幅をマット本体２の幅より大きくし、保護板３をマット本体２より、前記遊技機４前面の前記受皿５上に形成される排出口６側へ寄った状態でマット本体２に一体化させる。【選択図】図１
2007130039.tif 000002
【特許請求の範囲】
【請求項１】
遊技機前面の下部に位置する受皿の内部に設置される受皿用マットであり、
前記受皿内部の上面に載置されるマット本体と、前記マット本体の上面に一体化する保護板とを備え、
前記マット本体の幅は前記受皿の上面の幅より小さく、前記保護板の幅は前記マット本体の幅より大きく、前記保護板は前記マット本体より前記遊技機前面側へ寄った状態で前記マット本体に一体化していることを特徴とする遊技機の受皿用マット。
【請求項２】
前記保護板は厚さ方向に互いに重なり得る２枚の板要素から構成され、表面側に位置する板要素の少なくとも一部は透明であり、その板要素の幅方向、もしくは長さ方向の少なくともいずれかの側は開放していることを特徴とする請求項１に記載の遊技機の受皿用マット。
【請求項３】
上下に重なった保護板の２枚の板要素の内、前記開放した側における下側の板要素の端面は上側の板要素の端面から突出していないことを特徴とする請求項２に記載の遊技機の受皿用マット。
【発明の詳細な説明】
【技術分野】
【０００１】
本発明はスロットマシンやパチンコ台等の遊技機の下部に形成される受皿を排出口から排出されるコインや玉による衝撃から保護するための受皿用マットに関するものである。
【背景技術】
【０００２】
スロットマシン等の遊技機の市場には短期間の内に新製品が送り出されるため、それに伴って遊技機市場に中古の遊技機が流通することになるが、中古機の流通を円滑にする上では、使用期間中に目立った損傷を与えず、中古機を新製品に近い状態で流通させることが望まれる。
【０００３】
一方、遊技機の下部に形成される受皿の表面は排出口から繰り返して落下するコインや玉によって損傷する可能性があることから、この衝撃を緩和する目的で、受皿上にマット等を敷くことが行われる（特許文献１、２参照）。
【０００４】
【特許文献１】登録実用新案第３１０４２３７号公報（請求項１、段落０００７、図１）
【特許文献２】特開２００５−１３１２６６号公報（請求項１〜３、段落００２５、図２〜図４）
【発明の開示】
【発明が解決しようとする課題】
【０００５】
特許文献１のように例えば受皿上に、合成樹脂からなる板とその背面に接着される発泡材からなるマットを設置する場合、発泡材によってコイン落下時の衝撃を緩和し、受皿表面に対する損傷を防止することはできる。
【０００６】
しかしながら、板と発泡材の平面積を等しくした場合、発泡材の底面が受皿の上面（表面）のほぼ全面に接触しているため、受皿の清掃時や、板に貼付等される広告の変更時等、マットを受皿から外す必要が生じたときに、容易に取り外すことができない難点がある。排出口に手や指を差し込んでマットを外そうとしても、発泡材の底面が受皿上面のほぼ全面に接触している関係で、発泡材の幅方向の片側を浮き上がらせることができないからである。
【０００７】
本発明は上記背景より、受皿内に設置された状態から容易に取り外すことが可能な遊技機の受皿用マットを提案するものである。
【課題を解決するための手段】
【０００８】
請求項１に記載の発明の遊技機の受皿用マットは、遊技機前面の下部に位置する受皿の内部に設置される受皿用マットにおいて、
前記受皿内部の上面に載置されるマット本体と、前記マット本体の上面に一体化する保護板とを備え、
前記マット本体の幅が前記受皿の上面の幅より小さく、前記保護板の幅が前記マット本体の幅より大きく、前記保護板が前記マット本体より前記遊技機前面側へ寄った状態で前記マット本体に一体化していることを構成要件とする。
【０００９】
マット本体の幅が受皿の上面の幅より小さく、保護板の幅がマット本体の幅より大きく、例えば受皿の上面の幅と同等程度の大きさであることと、保護板がマット本体より遊技機前面側へ寄った状態でマット本体に一体化していることで、受皿用マットが受皿内に納まったときには保護板の幅方向両端部と長さ方向の両端部が受皿の内周面に接し得る状態になる。このとき、マット本体は保護板に対し、相対的に遊技機前面の反対側に寄った位置に配置され、保護板はマット本体より遊技機前面側へ張り出した状態になる。
【００１０】
図１、図２に示すように受皿５は受皿５上に位置する排出口（遊技機前面）側の後壁５ａとそれに対向する前壁５ｂ、及び長さ方向両側の側壁５ｃから容器状に形成され、その前壁５ｂはコイン等の取り出し易さの面から、下方から上方へかけて利用者の手前側へ傾斜する角度が付けられている。
【００１１】
この前壁が傾斜していることと、保護板の幅方向両端部が受皿の内周面に接しながら、マット本体が排出口の反対側に位置する（保護板がマット本体より遊技機側へ張り出す）ことで、保護板の後壁寄りの部分が上方から下向きに押されることによりマット本体の前壁寄りの底面を前壁の傾斜に沿って滑らせ、浮き上がらせることが可能であり、受皿内に設置された状態から受皿用マットを容易に取り外すことが可能になる。保護板の一部を押したときにマット本体を浮き上がらせるために、保護板を押したときの力がマット本体全体に作用するよう、保護板には主として硬質のプラスチック（合成樹脂）等、硬質の材料が使用される。
【００１２】
マット本体と保護板を合わせた厚さ、すなわち受皿用マット全体の厚さは排出口から落下するコイン等を受けることができるよう、排出口から受皿までの間に形成される傾斜面の下端と受皿内部の上面までの間の距離より小さい。この結果、受皿内部に受皿用マットが設置されたときに、保護板の上面が傾斜面の下端より下に位置し、排出口から落下するコイン等を受けることができる状態に置かれる。
【００１３】
受皿用マットの厚さが傾斜面の下端と受皿内部の上面までの間の距離より小さいことで、排出口から落下するコイン等が保護板に衝突するときの運動エネルギを小さくすることができるため、受皿用マットが受皿内に設置されることと併せ、排出口から繰り返して落下するコインや玉による衝撃を緩和し、受皿内の上面に対する損傷の発生を阻止する。またコイン等が載る保護板が受皿内の上面より上に位置することで、保護板上に一時的に保管できるコイン等の量が少なくなるため、遊技者は高い頻度で保護板上のコイン等を二次保管容器に入れ替えざるを得なくなる。結果的に受皿用マットの使用により二次保管容器の数が増え、二次保管容器の積み重ねの状況から、店舗が活況を呈していることの宣伝効果を得ることが可能になる。
【００１４】
請求項２に記載の発明は、保護板が厚さ方向に互いに重なり得る２枚の板要素から構成され、表面側に位置する板要素の少なくとも一部が透明であり、その板要素の幅方向、もしくは長さ方向の少なくともいずれかの側が開放していることを構成要件とする。
【００１５】
この場合、保護板が２枚の板要素から構成され、周囲の内、いずれかの側が開放していることで、板要素内に広告用、または遊技機の使用説明用等のシートを挿入することが可能であり、また表面側に位置する板要素の少なくとも一部が透明であることで、受皿用マットを広告媒体等として使用することが可能である。
【００１６】
請求項３に記載の発明は保護板の開放した側での埃や水の浸入を防止するために、上下に重なった保護板の２枚の板要素の内、開放した側における下側の板要素の端面が上側の板要素の端面から突出していないことを構成要件とする。
【００１７】
この場合、保護板の内、下側の板要素の端面が上側の板要素の端面に揃えられるか、または相対的に上側の板要素の端面より内側に位置することで、受皿用マット上に液体を零した場合にも、液体の板要素間への浸入を阻止することが可能になる。また下側の板要素の端面が上側の板要素の端面より内側に位置する場合には、広告用、または遊技機の使用説明用等のシートを上側の板要素に接触させながら、上下の板要素間に挿入することができるため、その出し入れが容易になる。
【発明の効果】
【００１８】
マット本体と、マット本体の上面に一体化する保護板からなり、保護板の幅方向両端部が受皿の内周面に接しながら、マット本体が排出口の反対側に位置するようにマット本体と保護板を組み合わせるため、受皿内に設置された状態から保護板が下向きに押されるのみで、マット本体の排出口の反対側を浮き上がらせることができ、受皿用マットを容易に取り外すことができる。
【００１９】
請求項２では二重の板要素から構成される保護板のいずれかの側が開放し、表面側の板要素が透明であるため、受皿用マットを広告媒体等として使用することができる。
【発明を実施するための最良の形態】
【００２０】
以下、図面を用いて本発明を実施するための最良の形態を説明する。
【００２１】
本発明は図１〜図３に示すように遊技機４前面の下部に形成される受皿５の内部に設置され、マット本体２と、マット本体２の上面に一体化する保護板３とを備える遊技機４の受皿用マット１である。遊技機４は図３に示すようにスロットマシンやパチンコ台等、前面の下部にコインや玉を受ける受皿５を有する遊技機全般を含む。
【００２２】
マット本体２にはプラスチックやゴム、紙その他の軽量で、衝撃吸収能力を有する材料が使用されるが、成型、加工のし易さからは発泡ポリスチレン、発泡ポリウレタン等を始めとする発泡プラスチック等の発泡材料の使用が好適である。受皿５への出し入れの操作性の面からは変形しにくい硬質の材料が適切である。
【００２３】
保護板３には遊技機４前面の受皿５上に形成される排出口６から落下するコイン等の衝撃に対する抵抗力を有する透明なプラスチック等が使用されるが、特に保護板３の広告媒体としての性能を維持させる上では、コイン等の衝突によっても傷の付きにくい材料、例えば硬質のポリ塩化ビニル、ポリプロピレン、ポリスチレン等の使用が適切である。
【００２４】
ポリ塩化ビニル等から成型した保護板３は透明で、表面が平滑なタイプ（クリアタイプ）と、透明で、表面に凹凸があるタイプ（ざらつきタイプ）に大別され、利用者や使用者の要望に応じて選択的に使用される。前者のタイプは綺麗であるものの、傷が付き易い難点があり、後者のタイプは多少フィルターがかったようになるものの、傷が付きにくく、傷が付いても目立たない利点がある。この後者のタイプは表面をざらつかせることにより傷の付きにくい加工が施される。
【００２５】
受皿５は図１、図２に示すように排出口６側の後壁５ａとそれに対向する前壁５ｂ、及び長さ方向両側の側壁５ｃ、５ｃから容器状に形成され、その前壁５ｂはコイン等の取り出し易さの面から、下方から上方へかけて利用者の手前側へ傾斜する。
【００２６】
受皿用マット１は受皿５内部の上面に載置されるマット本体２と、マット本体２の上面に一体化する保護板３からなり、マット本体２の幅は受皿５の上面の幅より小さく、保護板３の幅はマット本体２の幅より大きく、受皿５の上面の幅と同等程度の大きさで、保護板３はマット本体２より遊技機４前面側へ寄った状態でマット本体２に一体化する。保護板３は主として接着剤や粘着剤によりマット本体２に一体化するが、一体化の方法は問われない。マット本体２の面積は受皿５内部の上面の面積より小さいが、保護板３の面積は必ずしもその必要はない。
【００２７】
マット本体２の厚さと保護板３の厚さを合わせた大きさは排出口６から受皿５までの間に形成される傾斜面６の下端と受皿５内部の上面までの間の距離より小さく、保護板３の上面が傾斜面６の下端より下に位置する。
【００２８】
保護板３は図４、図５に示すようにマット本体２の全長に相当する長さ（例えば３１．２ｃｍ程度）と、マット本体２の全幅に相当する幅の２倍より大きめの幅を有する１枚のプラスチック板が幅方向の中心に関して対称に折り曲げられることにより、または先行して折り曲げられた後に、折り曲げ部分以外の部分を切断することにより、マット本体２の全幅より大きい幅（例えば９ｃｍ程度）を有する２枚の板要素３ａ、３ａが重なった形に成型される。図４〜図６に示す保護板３の形状と上記寸法は一例であり、保護板３の形状と寸法は受皿５の形状と寸法に応じて任意に設定される。
【００２９】
保護板３は下側の板要素３ａの底面においてマット本体２の上面に接着剤や粘着剤等により直接、または接着剤等が塗布されたシートを介して一体化する。図４の上側が遊技機４前面側を示すが、図４のＸ−Ｘ線断面図である図５に示すように成型状態での保護板３の折り曲げられた側である、１枚のプラスチック板の幅方向の中心側はマット本体２より遊技機４前面側へ張り出す。図５では保護板３の折り曲げ部分をマット本体２より遊技機４前面側へ７ｍｍ程度突出させた場合を示しているが、この突出幅は受皿５の形状と寸法、及びマット本体２の形状と寸法によって任意に設定される。
【００３０】
受皿用マット１の使用状態において、成型状態での保護板３の折り曲げ側がマット本体２より遊技機４前面側へ張り出すことで、図２に示すように保護板３の後壁５ａ寄りの部分が上方から下向きに押されるのみで、マット本体２の前壁５ｂ側の底面を前壁５ｂの傾斜に沿って滑らせ、受皿用マット１を浮き上がらせ、そのまま受皿５から取り外すことができる。
【００３１】
前記のように１枚のプラスチック板が折り曲げられて保護板３が成型されることで、保護板３の前壁５ｂ側と長さ方向の両端が開放し、この開放した端面を通じて２枚の板要素３ａ、３ａ間への広告用シートや遊技機の使用説明書の出し入れが行われる。上下に重なった保護板３の板要素３ａ、３ａは開放した側は埃や水の浸入を防止するために、下側の板要素３ａの端面が上側の板要素３ａの端面に揃えられるか、または上側の板要素３ａの端面より内側に位置する。
【００３２】
図５では下側の板要素３ａをマット本体２の端面から前壁５ｂ側へ２ｍｍ程度、上側の板要素３ａを下側の板要素３ａから更に２ｍｍ程度突出させているが、これらの突出幅も折り曲げ部分と同様に受皿５の形状と寸法、及びマット本体２の形状と寸法によって任意に設定される。また図５では２枚の板要素３ａ、３ａ間に差し込まれる広告用等のシートを挿入した状態で、そのシートを板要素３ａ、３ａによって挟持できるよう、板要素３ａ、３ａ間の間隔を折り曲げ部分側から開放部分側へかけて次第に小さくなるようにし、シート等を挟んだ状態で板要素３ａの復元力がシート等に作用するようにしている。
【図面の簡単な説明】
【００３３】
【図１】受皿内に受皿用マットを設置したときの様子と、取り外すときの様子を示した斜視図である。
【図２】図１の縦断面図である。
【図３】遊技機の前面を示した立面図である。
【図４】受皿用マットを示した平面図である。
【図５】図４のＸ−Ｘ線断面図である。
【図６】図４の立面図である。
【符号の説明】
【００３４】
１………受皿用マット
２………マット本体
３………保護板
３ａ……板要素
４………遊技機
５………受皿
５ａ……後壁
５ｂ……前壁
５ｃ……側壁
６………排出口
７………傾斜面
【図１】
2007130039.tif 000003
【図２】
2007130039.tif 000004
【図３】
2007130039.tif 000005
【図４】
2007130039.tif 000006
【図５】
2007130039.tif 000007
【図６】
2007130039.tif 000008
【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
遊技機前面の下部に位置する受皿の内部に設置される受皿用マットであり、
前記受皿内部の上面に載置されるマット本体と、前記マット本体の上面に一体化する保護板とを備え、
前記マット本体の幅は前記受皿の上面の幅より小さく、前記保護板の幅は前記マット本体の幅より大きく、前記保護板は前記マット本体より、前記遊技機前面の前記受皿上に形成される排出口側へ寄った状態で前記マット本体に一体化していることを特徴とする遊技機の受皿用マット。
【請求項２】
前記保護板は厚さ方向に互いに重なり得る２枚の板部から構成され、表面側に位置する板部の少なくとも一部は透明であり、その板部の幅方向、もしくは長さ方向の少なくともいずれかの側は開放していることを特徴とする請求項１に記載の遊技機の受皿用マット。
【請求項３】
上下に重なった保護板の２枚の板部の内、前記開放した側における下側の板部の端面は上側の板部の端面から突出していないことを特徴とする請求項２に記載の遊技機の受皿用マット。
【手続補正２】
【補正対象書類名】明細書
【補正対象項目名】全文
【補正方法】変更
【補正の内容】
【発明の詳細な説明】
【技術分野】
【０００１】
本発明はスロットマシンやパチンコ台等の遊技機の下部に形成される受皿を排出口から排出されるコインや玉による衝撃から保護するための受皿用マットに関するものである。
【背景技術】
【０００２】
スロットマシン等の遊技機の市場には短期間の内に新製品が送り出されるため、それに伴って遊技機市場に中古の遊技機が流通することになるが、中古機の流通を円滑にする上では、使用期間中に目立った損傷を与えず、中古機を新製品に近い状態で流通させることが望まれる。
【０００３】
一方、遊技機の下部に形成される受皿の表面は排出口から繰り返して落下するコインや玉によって損傷する可能性があることから、この衝撃を緩和する目的で、受皿上にマット等を敷くことが行われる（特許文献１、２参照）。
【０００４】
【特許文献１】登録実用新案第３１０４２３７号公報（請求項１、段落０００７、図１）
【特許文献２】特開２００５−１３１２６６号公報（請求項１〜３、段落００２５、図２〜図４）
【発明の開示】
【発明が解決しようとする課題】
【０００５】
特許文献１のように例えば受皿上に、合成樹脂からなる板とその背面に接着される発泡材からなるマットを設置する場合、発泡材によってコイン落下時の衝撃を緩和し、受皿表面に対する損傷を防止することはできる。
【０００６】
しかしながら、板と発泡材の平面積を等しくした場合、発泡材の底面が受皿の上面（表面）のほぼ全面に接触しているため、受皿の清掃時や、板に貼付等される広告の変更時等、マットを受皿から外す必要が生じたときに、容易に取り外すことができない難点がある。排出口に手や指を差し込んでマットを外そうとしても、発泡材の底面が受皿上面のほぼ全面に接触している関係で、発泡材の幅方向の片側を浮き上がらせることができないからである。
【０００７】
本発明は上記背景より、受皿内に設置された状態から容易に取り外すことが可能な遊技機の受皿用マットを提案するものである。
【課題を解決するための手段】
【０００８】
請求項１に記載の発明の遊技機の受皿用マットは、遊技機前面の下部に位置する受皿の内部に設置される受皿用マットにおいて、
前記受皿内部の上面に載置されるマット本体と、前記マット本体の上面に一体化する保護板とを備え、
前記マット本体の幅が前記受皿の上面の幅より小さく、前記保護板の幅が前記マット本体の幅より大きく、前記保護板が前記マット本体より、前記遊技機前面の前記受皿上に形成される排出口側へ寄った状態で前記マット本体に一体化していることを構成要件とする。
【０００９】
マット本体の幅が受皿の上面の幅より小さく、保護板の幅がマット本体の幅より大きく、例えば受皿の上面の幅と同等程度の大きさであることと、保護板がマット本体より、遊技機前面の受皿上に形成される排出口側へ寄った状態でマット本体に一体化していることで、受皿用マットが受皿内に納まったときには保護板の幅方向両端部と長さ方向の両端部が受皿の内周面に接し得る状態になる。このとき、マット本体は保護板に対し、相対的に遊技機前面の反対側に寄った位置に配置され、保護板はマット本体より排出口側へ張り出した状態になる。
【００１０】
図１、図２に示すように受皿５は受皿５上に位置する排出口（遊技機前面）側の後壁５ａとそれに対向する前壁５ｂ、及び長さ方向両側の側壁５ｃから容器状に形成され、その前壁５ｂはコイン等の取り出し易さの面から、下方から上方へかけて利用者の手前側へ傾斜する角度が付けられている。
【００１１】
この前壁が傾斜していることと、保護板の幅方向両端部が受皿の内周面に接しながら、マット本体が排出口の反対側に位置する（保護板がマット本体より遊技機側へ張り出す）ことで、保護板の後壁寄りの部分が上方から下向きに押されることによりマット本体の前壁寄りの底面を前壁の傾斜に沿って滑らせ、浮き上がらせることが可能であり、受皿内に設置された状態から受皿用マットを容易に取り外すことが可能になる。保護板の一部を押したときにマット本体を浮き上がらせるために、保護板を押したときの力がマット本体全体に作用するよう、保護板には主として硬質のプラスチック（合成樹脂）等、硬質の材料が使用される。
【００１２】
マット本体と保護板を合わせた厚さ、すなわち受皿用マット全体の厚さは排出口から落下するコイン等を受けることができるよう、排出口から受皿までの間に形成される傾斜面の下端と受皿内部の上面までの間の距離より小さい。この結果、受皿内部に受皿用マットが設置されたときに、保護板の上面が傾斜面の下端より下に位置し、排出口から落下するコイン等を受けることができる状態に置かれる。
【００１３】
受皿用マットの厚さが傾斜面の下端と受皿内部の上面までの間の距離より小さいことで、排出口から落下するコイン等が保護板に衝突するときの運動エネルギを小さくすることができるため、受皿用マットが受皿内に設置されることと併せ、排出口から繰り返して落下するコインや玉による衝撃を緩和し、受皿内の上面に対する損傷の発生を阻止する。またコイン等が載る保護板が受皿内の上面より上に位置することで、保護板上に一時的に保管できるコイン等の量が少なくなるため、遊技者は高い頻度で保護板上のコイン等を二次保管容器に入れ替えざるを得なくなる。結果的に受皿用マットの使用により二次保管容器の数が増え、二次保管容器の積み重ねの状況から、店舗が活況を呈していることの宣伝効果を得ることが可能になる。
【００１４】
請求項２に記載の発明は、保護板が厚さ方向に互いに重なり得る２枚の板部から構成され、表面側に位置する板部の少なくとも一部が透明であり、その板部の幅方向、もしくは長さ方向の少なくともいずれかの側が開放していることを構成要件とする。
【００１５】
この場合、保護板が２枚の板部から構成され、周囲の内、いずれかの側が開放していることで、板部内に広告用、または遊技機の使用説明用等のシートを挿入することが可能であり、また表面側に位置する板部の少なくとも一部が透明であることで、受皿用マットを広告媒体等として使用することが可能である。
【００１６】
請求項３に記載の発明は保護板の開放した側での埃や水の浸入を防止するために、上下に重なった保護板の２枚の板部の内、開放した側における下側の板部の端面が上側の板部の端面から突出していないことを構成要件とする。
【００１７】
この場合、保護板の内、下側の板部の端面が上側の板部の端面に揃えられるか、または相対的に上側の板部の端面より内側に位置することで、受皿用マット上に液体を零した場合にも、液体の板部間への浸入を阻止することが可能になる。また下側の板部の端面が上側の板部の端面より内側に位置する場合には、広告用、または遊技機の使用説明用等のシートを上側の板部に接触させながら、上下の板部間に挿入することができるため、その出し入れが容易になる。
【発明の効果】
【００１８】
マット本体と、マット本体の上面に一体化する保護板からなり、保護板の幅方向両端部が受皿の内周面に接しながら、マット本体が排出口の反対側に位置するようにマット本体と保護板を組み合わせるため、受皿内に設置された状態から保護板が下向きに押されるのみで、マット本体の排出口の反対側を浮き上がらせることができ、受皿用マットを容易に取り外すことができる。
【００１９】
請求項２では二重の板部から構成される保護板のいずれかの側が開放し、表面側の板部が透明であるため、受皿用マットを広告媒体等として使用することができる。
【発明を実施するための最良の形態】
【００２０】
以下、図面を用いて本発明を実施するための最良の形態を説明する。
【００２１】
本発明は図１〜図３に示すように遊技機４前面の下部に形成される受皿５の内部に設置され、マット本体２と、マット本体２の上面に一体化する保護板３とを備える遊技機４の受皿用マット１である。遊技機４は図３に示すようにスロットマシンやパチンコ台等、前面の下部にコインや玉を受ける受皿５を有する遊技機全般を含む。
【００２２】
マット本体２にはプラスチックやゴム、紙その他の軽量で、衝撃吸収能力を有する材料が使用されるが、成型、加工のし易さからは発泡ポリスチレン、発泡ポリウレタン等を始めとする発泡プラスチック等の発泡材料の使用が好適である。受皿５への出し入れの操作性の面からは変形しにくい硬質の材料が適切である。
【００２３】
保護板３には遊技機４前面の受皿５上に形成される排出口６から落下するコイン等の衝撃に対する抵抗力を有する透明なプラスチック等が使用されるが、特に保護板３の広告媒体としての性能を維持させる上では、コイン等の衝突によっても傷の付きにくい材料、例えば硬質のポリ塩化ビニル、ポリプロピレン、ポリスチレン等の使用が適切である。
【００２４】
ポリ塩化ビニル等から成型した保護板３は透明で、表面が平滑なタイプ（クリアタイプ）と、透明で、表面に凹凸があるタイプ（ざらつきタイプ）に大別され、利用者や使用者の要望に応じて選択的に使用される。前者のタイプは綺麗であるものの、傷が付き易い難点があり、後者のタイプは多少フィルターがかったようになるものの、傷が付きにくく、傷が付いても目立たない利点がある。この後者のタイプは表面をざらつかせることにより傷の付きにくい加工が施される。
【００２５】
受皿５は図１、図２に示すように排出口６側の後壁５ａとそれに対向する前壁５ｂ、及び長さ方向両側の側壁５ｃ、５ｃから容器状に形成され、その前壁５ｂはコイン等の取り出し易さの面から、下方から上方へかけて利用者の手前側へ傾斜する。
【００２６】
受皿用マット１は受皿５内部の上面に載置されるマット本体２と、マット本体２の上面に一体化する保護板３からなり、マット本体２の幅は受皿５の上面の幅より小さく、保護板３の幅はマット本体２の幅より大きく、受皿５の上面の幅と同等程度の大きさで、保護板３はマット本体２より、前記の排出口６側へ寄った状態でマット本体２に一体化する。保護板３は主として接着剤や粘着剤によりマット本体２に一体化するが、一体化の方法は問われない。マット本体２の面積は受皿５内部の上面の面積より小さいが、保護板３の面積は必ずしもその必要はない。
【００２７】
マット本体２の厚さと保護板３の厚さを合わせた大きさは排出口６から受皿５までの間に形成される傾斜面６の下端と受皿５内部の上面までの間の距離より小さく、保護板３の上面が傾斜面６の下端より下に位置する。
【００２８】
保護板３は図４、図５に示すようにマット本体２の全長に相当する長さ（例えば３１．２ｃｍ程度）と、マット本体２の全幅に相当する幅の２倍より大きめの幅を有する１枚のプラスチック板が幅方向の中心に関して対称に折り曲げられることにより、または先行して折り曲げられた後に、折り曲げ部分以外の部分を切断することにより、マット本体２の全幅より大きい幅（例えば９ｃｍ程度）を有する２枚の板部３ａ、３ａが重なった形に成型される。図４〜図６に示す保護板３の形状と上記寸法は一例であり、保護板３の形状と寸法は受皿５の形状と寸法に応じて任意に設定される。
【００２９】
保護板３は下側の板部３ａの底面においてマット本体２の上面に接着剤や粘着剤等により直接、または接着剤等が塗布されたシートを介して一体化する。図４の上側が遊技機４前面を示すが、図４のＸ−Ｘ線断面図である図５に示すように成型状態での保護板３の折り曲げられた側である、１枚のプラスチック板の幅方向の中心側はマット本体２より遊技機４側へ張り出す。図５では保護板３の折り曲げ部分をマット本体２より遊技機４側へ７ｍｍ程度突出させた場合を示しているが、この突出幅は受皿５の形状と寸法、及びマット本体２の形状と寸法によって任意に設定される。
【００３０】
受皿用マット１の使用状態において、成型状態での保護板３の折り曲げ側がマット本体２より遊技機４側へ張り出すことで、図２に示すように保護板３の後壁５ａ寄りの部分が上方から下向きに押されるのみで、マット本体２の前壁５ｂ側の底面を前壁５ｂの傾斜に沿って滑らせ、受皿用マット１を浮き上がらせ、そのまま受皿５から取り外すことができる。
【００３１】
前記のように１枚のプラスチック板が折り曲げられて保護板３が成型されることで、保護板３の前壁５ｂ側と長さ方向の両端が開放し、この開放した端面を通じて２枚の板部３ａ、３ａ間への広告用シートや遊技機の使用説明書の出し入れが行われる。上下に重なった保護板３の板部３ａ、３ａは開放した側は埃や水の浸入を防止するために、下側の板部３ａの端面が上側の板部３ａの端面に揃えられるか、または上側の板部３ａの端面より内側に位置する。
【００３２】
図５では下側の板部３ａをマット本体２の端面から前壁５ｂ側へ２ｍｍ程度、上側の板部３ａを下側の板部３ａから更に２ｍｍ程度突出させているが、これらの突出幅も折り曲げ部分と同様に受皿５の形状と寸法、及びマット本体２の形状と寸法によって任意に設定される。また図５では２枚の板部３ａ、３ａ間に差し込まれる広告用等のシートを挿入した状態で、そのシートを板部３ａ、３ａによって挟持できるよう、板部３ａ、３ａ間の間隔を折り曲げ部分側から開放部分側へかけて次第に小さくなるようにし、シート等を挟んだ状態で板部３ａの復元力がシート等に作用するようにしている。
【図面の簡単な説明】
【００３３】
【図１】受皿内に受皿用マットを設置したときの様子と、取り外すときの様子を示した斜視図である。
【図２】図１の縦断面図である。
【図３】遊技機の前面を示した立面図である。
【図４】受皿用マットを示した平面図である。
【図５】図４のＸ−Ｘ線断面図である。
【図６】図４の立面図である。
【符号の説明】
【００３４】
１………受皿用マット
２………マット本体
３………保護板
３ａ……板部
４………遊技機
５………受皿
５ａ……後壁
５ｂ……前壁
５ｃ……側壁
６………排出口
７………傾斜面